(57)【要約】      （修正有）【課題】雑草周囲に均一に温水を吐出させることができる除草用ノズルを提供する。【解決手段】ホースから送出され、金属パイプ１５（ランス）を経由し温水を吐出する除草用ノズル１０において、金属パイプ（ランス）と除草用ノズルとを接続する接続部１１と、接続部に接続された金属パイプ１２とを備え、金属パイプは、金属パイプ（ランス）から送出された温水を、金属パイプ１２内に設けられた導水路１４を介して、外部に吐出させる複数のノズル孔１３を備え、複数のノズル孔の各々は、全て同一の大きさであり、隣接する他のノズル孔との間の距離が全て同一であり、複数のノズル孔からは一定量以下の水量の温水が吐出される。【選択図】図１
0003225554.tif 000002
【実用新案登録請求の範囲】
【請求項１】
ホースから送出され、金属パイプ（ランス）を経由し温水を吐出する除草用ノズルにおいて、
前記金属パイプ（ランス）と前記除草用ノズルとを接続する接続部と、
前記接続部に接続された金属パイプとを備え、
前記金属パイプは、前記ホースから送出された温水を、前記金属パイプ内に設けられた導水路を介して、温水を外部に吐出させる複数のノズル孔を備え、
前記複数のノズル孔の各々は、全て同一の大きさであり、隣接する他のノズル孔との間の距離が全て同一であり、
前記複数のノズル孔からは一定量以下の水量の温水が吐出されることを特徴とする除草用ノズル。
【請求項２】
前記金属パイプは、棒状の第１の金属パイプと第２の金属パイプとから構成され、
前記第１の金属パイプの一端は前記接続部と接続され、他端は前記第２の金属パイプの中央部分で接続され、
前記第１の金属パイプと前記第２の金属パイプは同一平面上でＴ字形状を形成すること特徴とする請求項１記載の除草用ノズル。
【請求項３】
前記金属パイプは、棒状の第１から第４の金属パイプから構成され、
前記第１の金属パイプの一端は前記接続部と接続され、他端は前記第２及び第３の金属パイプの一端と接続され、
前記第２及び第３の金属パイプは、前記第１の金属パイプと接続された一端から同一平面上でともに所定角度で広げられるように設けられ、前記第２及び第３の金属パイプの他端は、前記第１の金属パイプに対して同一平面上で直角に設けられた前記第４の金属パイプと接続されることを特徴とする請求項１記載の除草用ノズル。
【請求項４】
さらに、スプレーノズルを備え、
前記スプレーノズルの一端は前記接続部と接続され、他端は円形の表面を有し、前記表面上には、前記金属パイプに設けられた前記複数のノズル孔に代えて、複数のノズル孔を備え、
前記複数のノズル孔の各々は、全て同一の大きさであり、前記表面の中心軸を中心に放射状に延びる直線上において隣接する他のノズル孔との間の距離が全て同一であることを特徴とする請求項１記載の除草用ノズル。
【考案の詳細な説明】
【技術分野】
【０００１】
本考案は、除草用ノズルに関する。
【背景技術】
【０００２】
従来から、公園や菜園などに生い茂った雑草を除草するために除草用ノズルが用いられる場合がある。
【０００３】
例えば、ホースを介してタンクと接続された除草用ノズルから、タンクに溜まった除草剤などの薬剤を散布させて、除草することが行われる。しかし、この場合、薬剤を用いるため、薬害などの問題が生じる場合がある。
【０００４】
そこで、熱湯により除草する除草用熱湯ジョーロがある（例えば、以下の登録実用新案公報）。この除草用熱湯ジョーロは、内部に電熱ヒータ４を備え、湯温を８０℃から１００℃の範囲を保って注出口５から熱湯を吐出させて、熱湯により除草させるものである。
【先行技術文献】
【特許文献】
【０００５】
【特許文献１】登録実用新案公報第３０４１２６７号
【考案の概要】
【考案が解決しようとする課題】
【０００６】
しかし、この除草用熱湯ジョーロの注出口５は、ジョーロ本体から先端部にかけて徐々に先細りとなる形状となっている。そのため、注出口５から熱湯が吐出する際に、先端部の複数のノズル孔６aのうち、中央部分のノズル孔６ａから吐出される熱湯がそれ以外のノズル孔６ａから吐出される熱湯よりも水量が多くなる場合がある。したがって、この除草用熱湯ジョーロは、雑草周囲に均一に熱湯をかけることができず、何度も繰り返し雑草周囲に熱湯をかけることになり、作業効率が低くなる場合がある。
【０００７】
そこで、一開示は、雑草周囲に均一に温水を吐出させることができる除草用ノズルを提供することにある。
【課題を解決するための手段】
【０００８】
一開示は、ホースから送出され、金属パイプ（ランス）を経由し温水を吐出する除草用ノズルにおいて、前記金属パイプ（ランス）と前記除草用ノズルとを接続する接続部と、前記接続部に接続された金属パイプとを備え、前記金属パイプは、前記ホースから送出された温水を、前記金属パイプ内に設けられた導水路を介して、温水を外部に吐出させる複数のノズル孔を備え、前記複数のノズル孔の各々は、全て同一の大きさであり、隣接する他のノズル孔との間の距離が全て同一であり、前記複数のノズル孔からは一定量以下の水量の温水が吐出される除草用ノズルある。
【考案の効果】
【０００９】
一開示によれば、雑草周囲に均一の温水を吐出させることことが可能である。
【図面の簡単な説明】
【００１０】
【図１】図１（Ａ）と図１（Ｂ）は除草用ノズルの構成例を表す図である。
【図２】図２（Ａ）と図２（Ｂ）はノズル孔の例を表す図である。
【図３】図３（Ａ）はノズル孔の拡大図、図３（Ｂ）は除草用ノズルから温水が吐出される例をそれぞれ表す図である。
【図４】図４（Ａ）は除草用ノズル、図４（Ｂ）はノズル本体部分、図４（Ｃ）はタイヤ部分の構成例をそれぞれ表す図である。
【図５】図５（Ａ）は除草用ノズル、図５（Ｂ）はノズル本体部分、図５（Ｃ）はタイヤ部分の構成例をそれぞれ表す図である。
【図６】図６（Ａ）と図６（Ｂ）は除草用ノズルの構成例を表す図である。
【図７】図７（Ａ）はノズル孔、図７（Ｂ）は除草用ノズルから温水が吐出される例をそれぞれ表す図である。
【考案を実施するための形態】
【００１１】
以下、本考案を実施するための形態について説明する。なお、以下の実施例は開示の技術を限定するものではない。そして、各実施の形態は、処理内容を矛盾させない範囲で適宜組み合わせることが可能である。
［第１の実施の形態］
第１の実施の形態について説明する。図１（Ａ）は第１の実施の形態における除草用ノズル１０の構成例を表す図である。
【００１２】
除草用ノズル１０は、金属パイプ（ランス）１５とホースとを介して、例えば、洗浄機と接続される。除草用ノズル１０は、ホースと金属パイプ（ランス）１５とを経由して、洗浄機から送出された温水を吐出させることができる。
【００１３】
図１（Ａ）に示すように、除草用ノズル１０は、接続部１１と金属パイプ１２を備える。
【００１４】
接続部１１は、金属パイプ（ランス）ホース１５と接続される。接続部１１は、金属パイプ（ランス）１５の一端と接続されると、その接続が解放されることなく、金属パイプ（ランス）１５の他端と接続された洗浄機から送出された温水を、除草用ノズル１０へ送出させることが可能である。接続部１１と金属パイプ（ランス）１５の構成は、例えば、特開２０１９−１１３１８６号公報や特表２０１７−５２４８７８号公報に記載された構成であってもよい。
【００１５】
金属パイプ１２は、第１の金属パイプ１２−ａと第２の金属パイプ１２−ｂとを備える。第１及び第２の金属パイプ１２−ａ，１２−ｂは、ともに棒状の形状を有している。
【００１６】
第１の金属パイプ１２−ａの一端は接続部１１と接続され、他端は、第２の金属パイプ１２−ｂの中央付近において接続される。第１の金属パイプ１２−ａと第２の金属パイプ１２−ｂは、同一平面上でほぼ直角に接続され、全体としてＴ字形状となっている。
【００１７】
第２の金属パイプ１２−ｂには、複数のノズル孔１３（１３−１，１３−２，…，１３−ｎ（ｎは２以上の自然数））を備える。各ノズル孔１３は、第２の金属パイプ１２−ｂの棒形状に沿って、直線状に設けられている。
【００１８】
図１（Ｂ）は、除草用ノズル１０の内部に設けられた導水路１４の例を表す図である。導水路１４は一点鎖線で示されている。
【００１９】
導水路１４は、接続部１１、第１の金属パイプ１２−ａ、及び第２の金属パイプ１２−ｂの内部に設けられている。導水路１４は、例えば、これらの内部においては円筒状に設けられている。
【００２０】
接続部１１内の導水路１４は、金属パイプ（ランス）１５から送出された温水を、除草用ノズル１０の導水路１４内へ送出する。
【００２１】
第１の金属パイプ１２−ａ内の導水路１４（第１の導水路１４−ａ）は、接続部１１内の導水路１４から送出された温水を第２の金属パイプ１２−ｂ内の導水路１４（第２の導水路１４−ｂ）へ送出する。
【００２２】
第２の導水路１４−ｂは、第２の金属パイプ１２−ｂに設けられた複数のノズル孔１３（１３−１，１３−２，…，１３−ｎ）と接続され、第１の導水路１４−ａから送出された温水を各ノズル孔１３へ導く。
【００２３】
なお、ノズル孔１３は、接続部１１及び第１の金属パイプ１２−ａを地面に対して所定角度で傾斜させることで、その向きが地面に向かう向きとなるように、第２の金属パイプ１２−ｂに設けられている。
【００２４】
図２（Ａ）は、除草用ノズル１０の上面図である。また、図２（Ｂ）は、図２（Ａ）において点線で示された部分の拡大図である。
【００２５】
本考案における複数のノズル孔１３の各々は、その大きさがすべて同一であり、隣接するノズル孔１３との距離が同じとなるように構成される。
【００２６】
例えば、図２（Ｂ）に示すように、ノズル孔１３−ｘ（ｘは、１≦ｘ≦ｎを満たす整数），１３−（ｘ＋１），１３−（ｘ＋２），１３−（ｘ＋４）は全て同じ直径ｒとなっている。直径ｒは、例えば、一定長以下となっており、孔の大きさは非常に小さいものとなっている。
【００２７】
また、ノズル孔１３−ｘと、ノズル孔１３−ｘに隣接するノズル孔１３−（ｘ＋１）との距離をｄとすると、ノズル孔１３−（ｘ＋１）と、ノズル孔１３−（ｘ＋１）に隣接するノズル孔１３−（ｘ＋２）との距離もｄとなる。さらに、ノズル孔１３−（ｘ＋２）と、ノズル孔１３−（ｘ＋２）と隣接するノズル孔１３−（ｘ＋３）との距離もｄとなる。
【００２８】
図３（Ａ）は、除草用ノズル１０の側面図である。図３（Ａ）は、ノズル孔１３の一つに着目したときに、そのノズル孔１３に滞留する水にかかる力関係の例を表している。
【００２９】
本考案では、各ノズル孔１３は、その大きさが一定値以下と非常に小さい。また、本考案では、除草用ノズル１０に送出される温水の水量が一定量以下となっている。そのため、第２の導水路１４−ｂに侵入した温水は、すぐにはノズル孔１３から吐出されず、第２の導水路１４−ｂで滞留することになる。
【００３０】
この場合、ノズル孔１３の一つに着目すると、ノズル孔１３に達した温水には、図３（Ａ）で示すように、図面上、上向きに表面張力が働く。他方、ノズル孔１３に達した温水には、図面上、下向きに重力が働く。
【００３１】
第２の導水路１４−ｂに温水が侵入した直後は、第２の導水路１４−ｂに侵入した温水の量（又は重さ）は、閾値以下となる。この場合、ノズル孔１３に達した温水に働く重力よりも、表面張力の方が大きいか等しくなる。そのため、その温水はノズル孔１３から吐出されずに、第２の導水路１４−ｂ内で滞留する。
【００３２】
その後、第２の導水路１４−ｂにさらに温水が侵入すると、第２の導水路１４−ｂに滞留した温水の量（又は重さ）は、閾値よりも多くなる。この場合、ノズル孔１３に達した温水に働く重力が、温水の表面に働く表面張力よりも大きくなる。そのため、ノズル孔１３に達した温水は、ノズル孔１３から吐出される。
【００３３】
そして、複数のノズル孔１３の大きさがすべて同一のため、各ノズル１３に達した温水に働く重力と表面張力との関係も同一となるため、各ノズル孔１３から吐出される温水の量はすべて同一量となる。
【００３４】
さらに、複数のノズル孔１３は、隣接するノズル孔１３との間の距離がすべて一定のため、一定の領域で一定量の温水を吐出させることが可能となる。
【００３５】
さらに、除草用ノズル１０に金属パイプ（ランス）１５から送出される温水の水量も、一定量以下となっており、勢い良く温水を放出、というよりも、雑草の上方から温水がぽたぽたと落ちるように吐出される。
【００３６】
そのため、図３（Ｂ）に示すように、本考案の除草用ノズル１０は、雑草１７周囲に均一の温水１６を吐出させることが可能となる。
【００３７】
したがって、雑草１７周囲を何度も往復させて温水を吐出させる場合と比較して、本考案の除草用ノズル１０は、作業効率を向上させることも可能となる。
【００３８】
[第２の実施の形態]
次に第２の実施の形態について説明する。図４（Ａ）は、第２の実施の形態における除草用ノズル２０の構成例を表す図である。図４（Ｂ）は、除草用ノズル２０のノズル部分、図４（Ｃ）は、除草用ノズル２０のタイヤ部分２６の構成例をそれぞれ表す図である。
【００３９】
図４（Ａ）に示すように、除草用ノズル２０は、例えば、ユーザが金属パイプ（ランス）２５を持ってその金属パイプ（ランス）２５を移動させ、タイヤ部分２６を転がすことによって、ノズル本体部分を移動させることが可能である。そして、雑草がある移動先まで除草用ノズル２０を移動させ、そこでノズル本体から温水を吐出させることが可能である。
【００４０】
除草用ノズル２０は、接続部２１と金属パイプ２２、及びタイヤ部分２６を備える。除草用ノズル２０は、第１の実施の形態の除草用ノズル１０と同様に、金属パイプ（ランス）２５を介して、例えば、洗浄機と接続され、洗浄機から送出された温水を、複数のノズル孔２３から吐出させることが可能である。
【００４１】
接続部２１は、第１の実施の形態の接続部１１と同様に、金属パイプ（ランス）２５を除草用ノズル２０に接続させるためのもので、例えば、特開２０１９−１１３１８６号公報や特表２０１７−５２４８７８号公報に記載された構成であってもよい。
【００４２】
金属パイプ２２は、第１の金属パイプ２２−ａ、第２の金属パイプ２２−ｂ１、第３の金属パイプ２２−ｂ２、及び第４の金属パイプ２２−ｃを備える。
【００４３】
第１の金属パイプ２２−ａは、一端が接続部２１と接続され、他端が第２及び第３の金属パイプ２２−ｂ１，２２−ｂ２と接続される。
【００４４】
第２及び第３の金属パイプ２２−ｂ１，２２−ｂ２は、第１の金属パイプ２２−ａに対して、双方とも、同一平面上において、所定角度でＹ字状に広がるように、その一端が第１の金属パイプ２２−ａと接続されている。第２及び第３の金属パイプ２２−ｂ１，２２−ｂ２の双方ともその他端は、第１の金属パイプ２２−ａに対して同一平面上で直角の向きにある第４の金属パイプ２２−ｃと接続される。
【００４５】
図４（Ｂ）において、一点鎖線で示されるように、接続部２１と金属パイプ２２の内部には、導水路２４が設けられている。
【００４６】
金属パイプ（ランス）２５から送出された温水は、接続部２１の導水路２４から第１の金属パイプ２２−ａ内の第１の導水路２４−ａへ導かれ、第２及び第３の金属パイプ２２−ｂ１，２２−ｂ２内のそれぞれ第２及び第３の導水路２４−ｂ１，２４−ｂ２で二又に分かれる。そして、温水は、第２及び第３の導水路２４−ｂ１，２４−ｂ２から、第４の金属パイプ２２−ｃ内の第４の導水路２４−ｃに送出される。
【００４７】
第４の金属パイプ２２−ｃには、複数のノズル孔２３（２３−１，…，２３−ｍ（ｍは２以上の整数））が設けられている。複数のノズル孔２３は、第１の実施の形態におけるノズル孔１３と同様に、全て同じ大きさ（例えば、直径がｒの円状）で、隣接するノズル孔１３とは、全て同一の距離（例えば、距離ｄ）となっている。
【００４８】
そして、第４の導水路２４−ｃに送出された温水は、各ノズル孔２３から吐出される。
【００４９】
この場合、第１の実施の形態と同様に、各ノズル孔２３に到達した温水は、第４の導水路２４−ｃ内に侵入した温水の量が閾値以下のときは、表面張力が重力よりも大きいか等しいため、各ノズル孔２３からは吐出されない。第４の導水路２４−ｃに侵入した温水の量が閾値を超えると、重力が表面張力よりも大きくなって、各ノズル孔２３に到達した温水は、各ノズル孔２３から一斉に落下して吐出される。
【００５０】
そして、各ノズル孔２３が隣接するノズル孔２３と同じ距離離れているため、各ノズル孔２３から同一量の温水が一斉に吐出される。また、金属パイプ（ランス）２５から送出される温水の水量も一定量以下となっているため、第１の実施の形態と同様に、ぽたぽたと落下するように温水が各ノズル孔２３から落下する。
【００５１】
したがって、第２の実施の形態における除草用ノズル２０も、第１の実施の形態と同様に、雑草周辺に均一の温水を吐出させることができる。
【００５２】
なお、ノズル孔２３は、第１の実施の形態と同様に、接続部２１及び第１の金属パイプ２２−ａを地面に対して所定角度で傾斜させることで、その向きが地面に向かう向きとなるように、第４の金属パイプ２２−ｃに設けられている。
【００５３】
図４（Ｃ）に示すように、タイヤ部分２６は、左右のタイヤ２６−１，２６−２、中心軸２６−３、ノズル接続部２６−４、及びねじ２６−５を備える。
【００５４】
左右のタイヤ２６−１，２６−２は、中心軸２６−３を中心に回転可能に構成される。ノズル接続部２６−４は、第１の金属パイプ２２−ａを通すことが可能で、ねじ２６−５を回転させることで、図面上、上方から下方に向けて、第１の金属パイプ２２−ａを押圧させることができる。これにより、ノズル本体とタイヤ部分２６とを接続させることが可能となる。
[第３の実施の形態]
次に第３の実施の形態について説明する。図５（Ａ）は第３の実施の形態にける除草用ノズル３０の構成例を表す図である。また、図５（Ｂ）は、除草用ノズル３０の本体部分、図５（Ｃ）は、除草用ノズル３０のタイヤ部分の構成例をそれぞれ表す図である。
【００５５】
図５（Ａ）に示すように、除草用ノズル３０は、接続部３１と金属パイプ３２、及びタイヤ部分３６とを備える。
【００５６】
接続部３１は、第１の実施の形態と同様に、金属パイプ（ランス）３５を除草用ノズル３０に接続させるためのものであり、例えば、特開２０１９−１１３１８６号公報や特表２０１７−５２４８７８号公報に記載された構成であってもよい。
【００５７】
金属パイプ３２は、第１の金属パイプ３２−ａ、第２及び第３の金属パイプ３２−ｂ１，３２−ｂ２、及び第４の金属パイプ３２−ｃを備える。  
【００５８】
さらに、接続部３１と金属パイプ３２の内部には、図５（Ｂ）において一点鎖線で示されるように、温水を導く導水路３４を備える。第１から第４の金属パイプ３２−ａ，３２−ｂ１，３２−ｂ２，３２−ｃ内には、第１から第４の導水路３４−ａ，３４−ｂ１，３４−ｂ２，３４−ｃがそれぞれ設けられている。
【００５９】
第３の実施の形態における温水の流れは、第２の実施の形態と同様である。ただし、第３の実施の形態における第４の金属パイプ３２−ｃは、第２の実施の形態における第４の金属パイプ２２−ｃよりも長い。また、第２及び第３の金属パイプ３２−ｂ１，３２−ｂ２の第１の金属パイプ３２−ａに対する角度も、第２の実施の形態の場合と比較して、広くなっている。
【００６０】
第４の金属パイプ３２−ｃには、複数のノズル孔３３（３３−１，…，３３−ｋ（ｋは２以上の整数））が設けられている。
【００６１】
各ノズル孔３３−１，…，３３−ｋは、第２の実施の形態と同様に、大きさが全て同一であり、隣接するノズル孔との距離も全て同一となっている。そのため、複数のノズル孔３３からは、第２の実施の形態と同様に、第４の導水路３４−ｃに侵入した温水は、その量が閾値以下のときは、第４の導水路３４−ｃに滞留し、閾値を超えると、各ノズル孔３３−１，…，３３−ｋから一斉に同一量の温水が吐出される。さらに、除草用ノズル３０に送出される水量は一定量以下となっているため、各ノズル孔３３−１，…，３３−ｋからは、ぽたぽたと落下するように温水が吐出される。
【００６２】
したがって、本第３の実施の形態における除草用ノズル３０も、雑草周辺において、均一の温水を吐出させることが可能となっている。
【００６３】
なお、ノズル孔３３は、第１の実施の形態と同様に、接続部３１及び第１の金属パイプ３２−ａを地面に対して所定角度で傾斜させることで、その向きが地面に向かう向きとなるように、第４の金属パイプ３２−ｃに設けられている。
【００６４】
図５（Ｃ）に示すように、タイヤ部分３６の構成例を表す図である。タイヤ部分３６は、第２の実施の形態におけるタイヤ部分２６よりも大きさが小さく、タイヤ３６−１２，３６−２２も小さくなっている。
【００６５】
タイヤ３６−１２，３６−２２は、中心軸３６−１１，３６−２１を中心に、それぞれ回転可能に設けられている。
【００６６】
また、一対の金属片３６−１３，３６−２３が、その一端で、中心軸３６−１１，３６−２１に接続され、それぞれ、タイヤ３６−１２，３６−２２を挟み込むように、設けられている。一対の金属片３６−１３，３６−２３の他端には、円形の穴が開けられており、第４の金属パイプ３２−ｃを通すことができる。
【００６７】
これにより、ユーザが金属パイプ（ランス）３５や接続部３１を持って移動させることで、タイヤ３６−１２，３６−２２が回転させられ、除草用ノズル３０を移動させることが可能となっている。
[第４の実施の形態]
次に第４の実施の形態について説明する。図６（Ａ）は第４の実施の形態における除草用ノズル４０の構成例を表す図である。
【００６８】
除草用ノズル４０は、接続部４１、金属パイプ４２、及びスプレーヘッド４３を備える。除草用ノズル４０も、第１の実施の形態等と同様に、例えば、金属パイプ（ランス）４５を介して洗浄機と接続され、洗浄機から送出された温水を吐出させることができる。
【００６９】
接続部４１は、第１の実施の形態等と同様に、金属パイプ（ランス）４５を除草用ノズル４０に接続させるためのものであり、例えば、特開２０１９−１１３１８６号公報や特表２０１７−５２４８７８号公報に記載された構成であってもよい。
【００７０】
金属パイプ４２は、接続部４１とスプレーヘッド４３とを接続する。
【００７１】
スプレーヘッド４３は、一端が金属パイプ４２と接続され、他端は円形状となっており、この円形状の表面には、複数のノズル孔４４（４４−１１，…，４４−１４，…）を備える。
【００７２】
図６（Ｂ）は、除草用ノズル４０の側面図である。図６（Ｂ）において一点鎖線で示されるように、除草用ノズル４０の内部には、金属パイプ（ランス）４５から送出された温水を複数のノズル孔４４の各々に導く導水路４６が設けられている。
【００７３】
導水路４６は、接続部４１内部の第１の導水路４６−ａ、金属パイプ４２内の第２の導水路４６−ｂ、及びスプレーヘッド４３内の第３の導水路４６−ｃを備える。
【００７４】
第１の導水路４６−ａは、金属パイプ（ランス）４５から送出された温水を第２の導水路４６−ｂへ送出し、第２の導水路４６−ｂは、第１の導水路４６−ａから送出された温水を第３の導水路４６−ｃへ送出する。第１の導水路４６−ａと第２の導水路４６−ｂは、ほぼ同じ大きさであり、例えば、円筒状に設けられている。
【００７５】
第３の導水路４６−ｃは、スプレーヘッド４３の内部では、他の導水路４６−ａ，４６−ｂと比較して、円形状に設けられたスプレーヘッド４３の表面の大きさに合わせて、第２の導水路４６−ｂとの接続部分から徐々に広がるように設けられている。
【００７６】
図７（Ａ）は、スプレーヘッド４３の表面形状の例を表す図である。
【００７７】
図７（Ａ）に示すように、複数のノズル孔４４は、スプレーヘッド４３の表面上に、その表面の中心（又は除草用ノズル４０の中心）を通る中心軸４７を中心に放射状に設けられている。
【００７８】
複数のノズル孔４４の各々は、第１の実施の形態と同様に、すべで同じ大きさとなっている。例えば、ノズル孔４４−１４は、直径ｒの円形状となっており、他のノズル孔４４−１３も同じ大きさの円形状の孔となっている。
【００７９】
また、複数のノズル孔４４は、放射状に延びる直線上に、隣接するノズル孔４４に対して同一の距離となるように設けられている。例えば、ノズル孔４４−１３とノズル孔４４−１４との間の距離をｄとすると、ノズル孔４４−１２とノズル孔４４−１３との間の距離もｄであり、ノズル孔４４−１１とノズル孔４４−１２との間の距離もｄとなる。また、ノズル孔４４−３１とノズル孔４４−３２との間の距離もｄとなり、ノズル孔４４−３２とノズル孔４４−３３との間の距離もｄとなる。
【００８０】
複数のノズル孔４４の各々の大きさは、第１の実施の形態と同様に一定長以下となっており、非常に小さいものとなっている。そのため、第１の実施の形態と同様に、第３の導水路４６−ｃに侵入した温水の量が閾値以下のときは、複数のノズル孔４４の各々に達した温水は、表面張力の方が重力よりも大きくなるため、ノズル孔４４からは吐出されずに、第３の導水路４６−ｃ内で滞留する。
【００８１】
そして、第３の導水路４６−ｃに侵入した温水の量が閾値を超えると、複数のノズル孔４４の各々に達した温水は、その温水にかかる重力の方が表面張力よりも大きくなり、複数のノズル孔４４の各々から一斉に吐出される。複数のノズル孔４４は、中心軸４７から放射状に延びる直線上に同一距離で各ノズル孔４４が隣接するため、均一に温水が吐出される。また、除草用ノズル４０に送出される温水の水量も一定量以下となっているため、各ノズル孔４４からは温水がぽたぽたと落下するように吐出される。
【００８２】
したがって、除草用ノズル４０は、雑草周辺において均一に温水を吐出させることが可能となる。
【００８３】
図７（Ｂ）は、除草用ノズル４０が雑草４９周囲において均一に温水４８を吐出させる例を表す図である。
[他の実施の形態]
第１から第４の実施の形態において、複数のノズル孔１３，２３，３３，４４は、円形状の孔の例で説明した。複数のノズル孔１３，２３，３３，４４の形状は、円形以外でもよく、例えば、四角形やひし形などの多角形の形状であってもよい。
【００８４】
また、第１から第４の実施の形態において、導水路１４，２４，３４，４６−ａ，４６−ｂの形状は、円筒形状の例で説明した。導水路１４，２４，３４，４６−ａ，４６−ｂの形状は、円筒形状以外でもよく、例えば、四角形やひし形などの多角形の形状であってもよい。
【符号の説明】
【００８５】
１０，２０，３０，４０：除草用ノズル  １１，２１，３１，４１：接続部
１２，２２，３２，４２：金属パイプ    
１２−ａ，２２−ａ，３２−ａ：第１の金属パイプ
１２−ｂ，２２−ｂ１，３２−ｂ１：第２の金属パイプ
２２−ｂ２，３２−ｂ２：第３の金属パイプ
２２−ｃ，３２−ｃ：第４の金属パイプ
１３（１３−１，１３−２，…，１３−ｎ），２３（２３−１，…，２３−ｍ），３３（３３−１，…，３３−ｋ），４４（４４−１１，…，４４−１４，４４−２１，…）：ノズル孔
１４，２４，３４，４６：導水路
１４−ａ，２４−ａ，３４−ａ，４６−ａ：第１の導水路
１４−ｂ，２４−ｂ１，３４−ｂ１，４６−ｂ：第２の導水路
２４−ｂ２，３４−ｂ２，４６−ｃ：第３の導水路
２４−ｃ，３４−ｃ：第４の導水路
１５，２５，３５，４５：金属パイプ（ランス）
１６，４８：温水                      １７，４９：雑草
２６，３６：タイヤ部分                ４７：中心軸
【図１】
0003225554.tif 000003
【図２】
0003225554.tif 000004
【図３】
0003225554.tif 000005
【図４】
0003225554.tif 000006
【図５】
0003225554.tif 000007
【図６】
0003225554.tif 000008
【図７】
0003225554.tif 000009